(57)【特許請求の範囲】
【請求項１】
カバー（２０）及び発泡性材料（１５）を備え、発泡性材料（１５）は少なくとも部分的にカバー（２０）に充填され、カバー（２０）は少なくとも一つの閉鎖部品（２５）を備えてなる、自動車用のヘッドレスト（１０）を製造する方法であって、
カバー（２０）を製造する段階と、閉鎖部品（２５）の領域に開口部（２３）を提供する段階と、
開口部（２３）を介してカバー（２０）の内部に構造部品（１６）を導入する段階と、
発泡性材料（１５）を、カバー（２０）の内部に少なくとも半ば液体状態にて導入する段階と
を備えることを特徴とし、
カバー（２０）は閉鎖部品（２５）としてジップファスナ（２５）を有し、
カバー（２０）は、閉鎖部品（２５）が閉鎖された状態において閉鎖部品（２５）をカバー（２０）の内部において覆う仕様のカバーリング部品（２４）を備え、
カバーリング部品（２４）は、開口部（２３）の一方の端領域にてカバー（２０）に結合されると同時に開口部（２３）の他方の端領域にてカバー（２０）上に静止するように構成される、
ヘッドレスト（１０）を製造する方法。
【請求項２】
カバー（２０）は内部の視認できない側（２１）及び外部の視認できる側（２２）を有し、閉鎖部品（２５）は内部の視認できない側（２１）からのみ排他的に視認できる、請求項１に記載の方法。
【請求項３】
閉鎖部品（２５）は、閉鎖時に封止されて液体状の発泡性材料（１５）の漏れを防ぐことを特徴とする請求項１又は２に記載の方法。
【請求項４】
発泡性材料（１５）がカバー（２０）に導入される前に視認される別の開口部（２６）であって、発泡性材料（１５）がカバー（２０）に導入される際に用いられる別の開口部（２６）をカバー（２０）は備えることを特徴とする請求項１〜３のいずれか一項に記載の方法。 
【発明の詳細な説明】
【技術分野】
【０００１】
本発明は、カバーと、少なくとも部分的にカバーを充填している発泡性材料を有する、特に自動車用のヘッドレスト及びヘッドレストの製造方法に関する。
【背景技術】
【０００２】
ヘッドレスト及びヘッドレストの製造方法は周知である。前記発泡性材料は、前記ヘッドレストのカバーに、「現場注入」技術として言及されるような、少なくとも部分的に液体状態で導入される。「現場注入」技術は、前記発泡性材料が、現場にて注入されるように提供される、或いはヘッドレストのカバーに現場にて導入される発泡性材料が提供される、と定義されている。
【０００３】
そのようなヘッドレストにあって、前記発泡性材料が導入される前に、例えばヘッドレストバーなどの構造部品は、カバー内に導入されてなければならない。構造部品が導入されるために、前記ヘッドレストのカバーには、開口部が絶対に必要であるが、その開口部は前記発泡性材料の導入の後は閉鎖されなければならない。これは、ヘッドレストの外観形状及び開口部の配置について、観察されることになる状態を要求してしまう。
【発明の概要】
【発明が解決しようとする課題】
【０００４】
本願発明の目的は、特に自動車用のヘッドレスト及びヘッドレストの製造方法を提供することである。ヘッドレストの外観形状及び開口部の配置についての要件は、従来、少なくとも厳しくはなく、周知のヘッドレスト及びヘッドレストの製造方法の場合には、そのようなヘッドレストに課せられる美的な要求、特に開口部の領域には周知の解決策よりも優れた解決策にて解決されるべき高い要求は、なかった。
【課題を解決するための手段】
【０００５】
前記目的は、自動車用のヘッドレストによって実現され、そのようなヘッドレストはカバーと、カバーの少なくとも部分領域にあって充填される発泡性材料とを有し、そのようなヘッドレストが発泡性材料を導入するときに、発泡性材料は少なくとも部分的に、或いは半ば液体状態であり、前記カバーは閉鎖部品を有し、その開口部は前記発泡性材料の導入の後は前記閉鎖部品によって閉鎖される。
【０００６】
前記目的は、さらに車両用のヘッドレストによって実現され、そのようなヘッドレストはカバーと、カバーの少なくとも部分領域にあって充填される発泡性材料とを有し、そのようなヘッドレストが発泡性材料を前記カバーに導入するときに、発泡性材料は少なくとも半ば液体状態であり、前記カバーは閉鎖部品としてジップファスナを有する。
【０００７】
それによって、ヘッドレストの形状ということについて、さらに前記ヘッドレストのカバーに提供される開口部の位置についても設計の高い自由度が本発明によって好都合に可能である。
【０００８】
本発明にとっては、閉鎖部品がジップファスナであることが特に好ましい。これによって、本発明によれば、開口部の領域にあってカバーの特に安定した結合を実現することが好都合に可能であり、そのような開口部は液状の発泡性材料に関して良好な締りをさえ有する。これにより、ヘッドレストの美的な効果を悪化させることなく、従来のヘッドレストの設計よりも閉鎖部品の配置のより高い自由度を得ることの特に簡素で効果的な実現性を提供する。
【０００９】
さらに、本発明によれば、カバーは内部の視認できない側と外部の視認できる側とを有し、閉鎖部品は内部の視認できない側から排他的に視認可能である。これは結局、閉鎖部品は視認できる側からでも視認できないということを意味し、美的で特に魅力的なヘッドレストの外観形状という結果をもたらす。
【００１０】
本発明によれば、閉鎖部品は、液状の発泡性材料の漏れを防ぐために封止される仕様で提供されることがさらに好ましい。それによって、ヘッドレストの製造プロセスの間、開口部の配置ゆえにヘッドレスト上の閉鎖部品の配置の考慮をすることなく、比較的に簡素な仕様にて液状の発泡材料の漏れを効果的に防ぐことが可能となる。
【００１１】
さらに、本発明によれば、閉鎖部品の閉鎖状態にあって、カバーリング部品によって閉鎖部品が覆われる仕様の、カバーリング部品を有することが好ましい。
【００１２】
本発明によれば、閉鎖部品の領域にて、カバーの特に良好な封止を成し遂げる簡素な手段が好都合に可能である。
【００１３】
本発明によれば、カバーが別の開口部を有することがさらに好ましい。別の開口部は、発泡性材料を導入する前に存在する。発泡性材料は、前記別の開口部を通してカバーの中に導入される。
【００１４】
本発明は、特に自動車のヘッドレストのような、カバーと発泡性材料を含むヘッドレストの製造方法に関する。発泡性材料は、少なくとも部分的にカバーに充填され、カバーは閉鎖部品を有する。前記製造方法は、
カバーを製造し、閉鎖部品の領域に開口部を提供する段階と、
前記開口部を介して前記カバーの内部に構造部品を導入する段階と、
前記閉鎖部品によって前記開口部を閉鎖する段階と、
前記カバーの内部に、導入時に少なくとも液体状態の発泡性材料を導入する段階と
を備える。
【００１５】
本発明によれば、前記カバーが別の開口部を有することがさらに好ましい。別の開口部は、発泡性材料を導入する前に存在が視認される。発泡性材料は、前記別の開口部を通してカバーの中に導入される。
【００１６】
本発明の具現化例が図面に示され、さらに図面を参照した詳細が以下に説明される。
【図面の簡単な説明】
【００１７】
【図１】一部を拡大した拡大部に閉鎖部品が含まれるヘッドレストの概略的な断面図である。
【図２】従来の技術に係るヘッドレストのカバーの具体例を示す図である。
【図３】従来の技術に係るヘッドレストの一具体例であり、ヘッドレストのカバーに開口部の領域に閉鎖部品が配置されない構成の一具体例を示す図である。
【図４】本発明に係るヘッドレスト用の、開口部の領域にジップファスナ仕様の閉鎖部品を有するカバーの内部（視認できない側）を示す図である。
【図５】図４に係るカバー付きの、ジップファスナ仕様の閉鎖部品がカバーの開口部の領域に配置された、ヘッドレストの完成品を示す図である。
【発明を実施するための形態】
【００１８】
図１は、本発明に係るヘッドレスト１０の断面を概略的に示す。ヘッドレスト１０は、カバー２０、１つの構造部品１６或いは複数の構造部品１６を備える。カバー２０は、内部２１及び外部２２を有する。内部２１或いは内側は視認できない側２１であり、外部２２或いは外側は視認できる側２２である。つまりカバーの外部２２は、通常使用の間、ヘッドレスト１０の使用者によって視認される。少なくとも部分的にカバー２０を充填する発泡性材料１５は、カバー２０の内部に配置される。
【００１９】
本発明によれば、ヘッドレスト１０は、現場注入技術として言及される技術によって製造される。これは、発泡性材料１５がヘッドレスト１０のカバー２０内に少なくとも部分的に或いは半ば液体状態の発泡性材料１５として導入されることを意味する。つまり、発泡性材料１５は、現場にて注入される発泡性材料として提供され、さらにカバー２０には現場にて発泡性材料が導入される。
【００２０】
発泡性材料１５（液体状態の発泡性材料１５）が導入される前に、構造部品１６或いは複数の構造部品１６をカバー２０に導入するために、１つの開口部２３がカバー２０に設けられる。開口部２３は、構造部品１６が導入される前に、設けられるか開口され、さらに（開口され、或いは部分的に開口される）（美的な効果を損なってしまうかもしれない）開口部２３から（液状の）発泡性材料１５が漏れないように発泡性材料１５の導入が閉鎖されなければならない。
【００２１】
本発明によれば、開口部２３は閉鎖部品２５によって閉鎖される（構造部品或いは複数の構造部品１６がヘッドレスト１０のカバー２０の内部に導入された後に）。本発明によれば、閉鎖部品２５は、いかなるタイプの閉鎖部品であってもよいが、ジップファスナとしての仕様が閉鎖部品２５としては好ましい。閉鎖部品２５としてのジップファスナの使用は、カバー２０の内部２１に配置される（少なくとも一時的に液体の）発泡性材料１５に対して特に良好な締りが可能な利点を有する（発泡性材料１５がカバー２０内部に導入された後）。本発明によれば、液体状態の発泡性材料１５に対してカバー２０の締りがカバーリング部品２４の配置によってさらに増加されることが好都合に可能である。カバーリング部品２４は、例えば、開口部２３及び閉鎖部品２５が覆われ、或いは少なくとも部分的に覆われる領域におけるカバーの内部２１に設けられる。例えば、本発明によれば、カバーリング部品２４（或いは複数の異なるカバーリング部品２４）は、例えば縦長仕様に延びる閉鎖部品２５の一端或いは両端の領域に特に配置されるのが好都合に可能である。図１の右側の（縦長）部分にあって、カバーリング部品２４は、例えば下部領域（すなわち、開口部２３の一方側）にて、カバーリング部品２４がカバー２０の上部領域（すなわち、開口部２３の他方側）にて単に静止している間、カバー２０に結合される（ジグザグの線にて示される）。
【００２２】
本発明によれば、ヘッドレスト１０のカバー２０が、別の開口部２６を有するという対策がとられる。液状の発泡性材料１５がカバー２０の内部に別の開口部２６を介して導入される。
【００２３】
図２は従来の技術に係るヘッドレストのカバー４０の具体例を示す。カバー４０の内部がここでは示されている。
【００２４】
図３は従来技術に係るヘッドレストの具体例の部分的な外観を示しており、ヘッドレストのカバー４０の開口部の領域には閉鎖部品は配置されていない。この場合、カバー４０の外部が描かれている。
【００２５】
図４は、本発明に係るヘッドレスト１０用のカバー２０の内部（視認できない側）２１を描いており、カバー２０は開口部２３の領域にジップファスナの形態の閉鎖部品２５を有している。
【００２６】
図５は、図４に係るカバー２０付きの完成したヘッドレスト１０を示している。ジップファスナ形態の閉鎖部品２５がカバー２０の開口部２３の領域に配置されている。
【符号の説明】
【００２７】
１０  ヘッドレスト
１５  発泡性材料
１６  構造部品
２０  カバー
２１  内部の視認されない側
２２  外部の視認される側
２３  開口部
２４  カバーリング部品
２５  閉鎖部品／ジップファスナ
２６  別の開口部
【図１】
0005933533.tif 000002
【図２】
0005933533.tif 000003
【図３】
0005933533.tif 000004
【図４】
0005933533.tif 000005
【図５】
0005933533.tif 000006